(57)【要約】【課題】貨幣の処理を行う前に運用モードの設定を操作者が手動で行う必要がなくなるため、操作者にとっての手間を省くとともに誤操作が行われてしまうことを防止することができる貨幣処理機、貨幣処理システムおよび貨幣処理方法を提供する。【解決手段】貨幣処理機（例えば、貨幣入出金機１００）は、貨幣の処理を行う処理部と、外部装置（例えば、ＰＯＳレジスタ１９０）から送られた情報を受信する情報受信手段（例えば、通信部１０５）と、特定処理を行うという指令を受け付ける指令受付手段１０７と、通常時は情報受信手段により受信した情報を参照して処理を行い、指令受付手段１０７により特定処理を行うという指令が受け付けられたときに情報受信手段により受信した情報を参照しないで処理を行うよう処理部の制御を行う制御部１０２とを備えている。【選択図】図３
2018036995.tif 000002
【特許請求の範囲】
【請求項１】
貨幣の処理を行う処理部と、
外部装置から送られた情報を受信する情報受信手段と、
特定処理を行うという指令を受け付ける指令受付手段と、
通常時は前記情報受信手段により受信した情報を参照して処理を行い、前記指令受付手段により特定処理を行うという指令が受け付けられたときに前記情報受信手段により受信した情報を参照しないで処理を行うよう前記処理部の制御を行う制御部と、
を備えた、貨幣処理機。
【請求項２】
前記制御部は、特定処理を行うという指令が前記指令受付手段により受け付けられていないときには、入金された貨幣の金額から、前記情報受信手段により受信した情報における売上金としての金額を差し引いた金額の貨幣を貨幣払出口に払い出すよう前記処理部の制御を行う、請求項１記載の貨幣処理機。
【請求項３】
貨幣収納カセットが着脱自在に装着されるカセット装着部と、
前記カセット装着部に前記貨幣収納カセットが装着されているときにこのことを検知するカセット装着検知部と、
を更に備え、
前記指令受付手段は、前記カセット装着部に前記貨幣収納カセットが装着されていることがカセット装着検知部により検知されているときに特定処理を行うという指令を受け付けるようになっている、請求項１記載の貨幣処理機。
【請求項４】
前記制御部は、特定処理を行うという指令が前記指令受付手段により受け付けられているときには、貨幣の入金処理を行う際に、前記カセット装着部に装着されている前記貨幣収納カセットから繰り出された貨幣を筐体内に収納するよう前記処理部を制御する、請求項３記載の貨幣処理機。
【請求項５】
前記制御部は、特定処理を行うという指令が前記指令受付手段により受け付けられているときには、貨幣の出金処理を行う際に、出金されるべき貨幣を前記カセット装着部に装着されている前記貨幣収納カセットに収納するよう前記処理部を制御する、請求項３または４記載の貨幣処理機。
【請求項６】
前記カセット装着部に着脱自在に装着される前記貨幣収納カセットには、当該貨幣収納カセットに収納されている貨幣に係る情報を記憶する記録媒体が設けられており、
前記カセット装着部には、当該カセット装着部に装着される前記貨幣収納カセットの前記記録媒体から情報を読み取る読取部が設けられており、
前記制御部は、特定処理を行うという指令が前記指令受付手段により受け付けられているときには、前記カセット装着部に装着される前記貨幣収納カセットの前記記録媒体から前記読取部により読み取られた情報に基づいて、前記処理部による処理内容を決めるようになっている、請求項３乃至５のいずれか一項に記載の貨幣処理機。
【請求項７】
前記記録媒体には、前記貨幣収納カセットに貨幣が収納されているか否かという情報が記憶されるようになっており、
前記制御部は、特定処理を行うという指令が前記指令受付手段により受け付けられているときには、前記カセット装着部に装着される前記貨幣収納カセットの前記記録媒体から前記読取部により読み取られた、前記貨幣収納カセットに貨幣が収納されているか否かという情報に基づいて、貨幣の入金処理および出金処理のうちいずれかの処理を行うよう前記処理部を制御する、請求項６記載の貨幣処理機。
【請求項８】
持ち運び可能な情報記憶部材から情報を読み取る情報読取手段を更に備え、
前記指令受付手段は、前記情報読取手段により前記情報記憶部材から読み取られた情報が特定の情報である場合に、特定処理を行うという指令を受け付けるようになっている、請求項１または２記載の貨幣処理機。
【請求項９】
貨幣の処理を行う処理部と、
外部装置から送られた情報を受信する情報受信手段と、
前記情報受信手段により受信した情報を参照して処理を行う第１処理モードおよび前記情報受信手段により受信した情報を参照しないで処理を行う第２処理モードのうちいずれの処理モードで処理を行うかという指令を受け付ける指令受付手段と、
前記指令受付手段により受け付けた指令の内容に基づいて処理を行うよう前記処理部の制御を行う制御部と、
を備えた、貨幣処理機。
【請求項１０】
前記制御部は、前記第１処理モードで処理を行うという指令が前記指令受付手段により受け付けられているときには、入金された貨幣の金額から、前記情報受信手段により受信した情報における売上金としての金額を差し引いた金額の貨幣を貨幣払出口に払い出すよう前記処理部の制御を行う、請求項９記載の貨幣処理機。
【請求項１１】
貨幣収納カセットが着脱自在に装着されるカセット装着部と、
前記カセット装着部に前記貨幣収納カセットが装着されているときにこのことを検知するカセット装着検知部と、
を更に備え、
前記指令受付手段は、前記カセット装着部に前記貨幣収納カセットが装着されていることがカセット装着検知部により検知されているときに前記第２処理モードで処理を行うという指令を受け付けるようになっている、請求項９または１０記載の貨幣処理機。
【請求項１２】
前記制御部は、前記第２処理モードで処理を行うという指令が前記指令受付手段により受け付けられているときには、貨幣の入金処理を行う際に、前記カセット装着部に装着されている前記貨幣収納カセットから繰り出された貨幣を筐体内に収納するよう前記処理部を制御する、請求項１１記載の貨幣処理機。
【請求項１３】
前記制御部は、前記第２処理モードで処理を行うという指令が前記指令受付手段により受け付けられているときには、貨幣の出金処理を行う際に、出金されるべき貨幣を前記カセット装着部に装着されている前記貨幣収納カセットに収納するよう前記処理部を制御する、請求項１１または１２記載の貨幣処理機。
【請求項１４】
前記カセット装着部に着脱自在に装着される前記貨幣収納カセットには、当該貨幣収納カセットに収納されている貨幣に係る情報を記憶する記録媒体が設けられており、
前記カセット装着部には、当該カセット装着部に装着される前記貨幣収納カセットの前記記録媒体から情報を読み取る読取部が設けられており、
前記制御部は、前記第２処理モードで処理を行うという指令が前記指令受付手段により受け付けられているときには、前記カセット装着部に装着される前記貨幣収納カセットの前記記録媒体から前記読取部により読み取られた情報に基づいて、前記処理部による処理内容を決めるようになっている、請求項１１乃至１３のいずれか一項に記載の貨幣処理機。
【請求項１５】
前記記録媒体には、前記貨幣収納カセットに貨幣が収納されているか否かという情報が記憶されるようになっており、
前記制御部は、前記第２処理モードで処理を行うという指令が前記指令受付手段により受け付けられているときには、前記カセット装着部に装着される前記貨幣収納カセットの前記記録媒体から前記読取部により読み取られた、前記貨幣収納カセットに貨幣が収納されているか否かという情報に基づいて、貨幣の入金処理および出金処理のうちいずれかの処理を行うよう前記処理部を制御する、請求項１４記載の貨幣処理機。
【請求項１６】
持ち運び可能な情報記憶部材から情報を読み取る情報読取手段を更に備え、
前記指令受付手段は、前記情報読取手段により前記情報記憶部材から読み取られた情報に基づいて、前記第１処理モードおよび前記第２処理モードのうちいずれの処理モードで処理を行うかという指令を受け付けるようになっている、請求項９または１０記載の貨幣処理機。
【請求項１７】
貨幣の処理を行う処理部を有する貨幣処理機と、
前記貨幣処理機とは別に設けられた外部装置と、
を備えた貨幣処理システムであって、
前記貨幣処理機には、前記外部装置から送られた情報を受信する情報受信手段が設けられており、
前記貨幣処理機または前記外部装置には、特定処理を行うという指令を受け付ける指令受付手段が設けられており、
前記貨幣処理機または前記外部装置には、通常時は前記情報受信手段により受信した情報を参照して前記処理部により処理を行い、前記指令受付手段により特定処理を行うという指令が受け付けられたときに前記情報受信手段により受信した情報を参照しないで前記処理部により処理を行うよう前記処理部の制御を行う制御部が設けられている、貨幣処理システム。
【請求項１８】
貨幣の処理を行う処理部を有する貨幣処理機と、
前記貨幣処理機とは別に設けられた外部装置と、
を備えた貨幣処理システムであって、
前記貨幣処理機には、前記外部装置から送られた情報を受信する情報受信手段が設けられており、
前記貨幣処理機または前記外部装置には、前記情報受信手段により受信した情報を参照して処理を行う第１処理モードおよび前記情報受信手段により受信した情報を参照しないで処理を行う第２処理モードのうちいずれの処理モードで処理を行うかという指令を受け付ける指令受付手段が設けられており、
前記貨幣処理機または前記外部装置には、前記指令受付手段により受け付けた指令の内容に基づいて前記処理部により処理を行うよう前記処理部の制御を行う制御部が設けられている、貨幣処理システム。
【請求項１９】
貨幣の処理を行う貨幣処理機による貨幣処理方法であって、
外部装置から送られた情報を情報受信手段により受信する工程と、
特定処理を行うという指令を指令受付手段により選択的に受け付ける工程と、
通常時は前記情報受信手段により受信した情報を参照して処理を行い、前記指令受付手段により特定処理を行うという指令が受け付けられたときに前記情報受信手段により受信した情報を参照しないで貨幣の処理を行う工程と、
を備えた、貨幣処理方法。
【請求項２０】
貨幣の処理を行う貨幣処理機による貨幣処理方法であって、
外部装置から送られた情報を情報受信手段により受信する工程と、
前記情報受信手段により受信した情報を参照して処理を行う第１処理モードおよび前記情報受信手段により受信した情報を参照しないで処理を行う第２処理モードのうちいずれの処理モードで処理を行うかという指令を指令受付手段により受け付ける工程と、
前記指令受付手段により受け付けた指令の内容に基づいて貨幣の処理を行う工程と、
を備えた、貨幣処理方法。
【発明の詳細な説明】
【技術分野】
【０００１】
本発明は、紙幣や硬貨等からなる貨幣の入金処理や出金処理を行う貨幣処理機、このような貨幣処理機を備えた貨幣処理システムおよびこのような貨幣処理機による貨幣処理方法に関する。
【背景技術】
【０００２】
スーパーマーケットやコンビニエンスストア等の店舗において、商品棚が設置されるフロント領域の精算所には貨幣釣銭機が設置されるとともに顧客が立ち入ることができないバックヤード領域には出納機が設置されるようになっている。ここで、フロント領域の精算所に設置される貨幣釣銭機は、商品と引き換えに顧客から店員に手渡された貨幣の入金処理を行うとともに、釣銭としての貨幣の出金処理を行うことができるようになっている。また、バックヤード領域に設置される出納機は、貨幣釣銭機から回収された売上金としての貨幣の入金処理を行うとともに、貨幣釣銭機に補充されるべき釣銭補充金としての貨幣の出金処理を行うようになっている。フロント領域に貨幣釣銭機が設置されるとともにバックヤード領域に出納機が設置されるような貨幣処理システムとして、例えば特許文献１等に開示されるものが従来から知られている。
【０００３】
また、近年では、貨幣の入金処理および出金処理を行う貨幣入出金機をフロント領域における例えばサービスカウンターに設置し、この貨幣入出金機を、従来のフロント領域に設置される貨幣釣銭機として使用するとともに、従来のバックヤード領域に設置される出納機として使用するような運用が行われる場合がある。このような場合には、従来のフロント領域に設置される貨幣釣銭機の機能および従来のバックヤード領域に設置される出納機の機能を、サービスカウンターに設置される貨幣入出金機で兼用することができるため、貨幣入出金機を店舗に設置する際の費用の低減を行うとともに、バックヤード領域の省スペース化を図ることができるようになる。
【先行技術文献】
【特許文献】
【０００４】
【特許文献１】特許第５９０２６６７号
【発明の概要】
【発明が解決しようとする課題】
【０００５】
上述したように、貨幣の入金処理および出金処理を行う貨幣入出金機をフロント領域における例えばサービスカウンターに設置した場合において、この貨幣入出金機を、従来のフロント領域に設置される貨幣釣銭機として使用するときには、操作者はタッチパネル等の操作表示部により手動でレジ運用設定に切り換えた後に当該貨幣入出金機で貨幣の処理を行う必要がある。一方、上記の貨幣入出金機を、従来のバックヤード領域に設置される出納機として使用するときには、操作者はタッチパネル等の操作表示部により手動で出納機運用設定に切り換えた後に当該貨幣入出金機で貨幣の処理を行う必要がある。このように、サービスカウンターに設置される貨幣入出金機で、従来のフロント領域に設置される貨幣釣銭機の機能および従来のバックヤード領域に設置される出納機の機能を兼用する場合には、貨幣の処理を行う前に運用モードの設定を操作者が手動で行う必要があるため、操作者にとって手間がかかったり誤操作が行われるおそれがあったりするという問題があった。
【０００６】
本発明は、このような点を考慮してなされたものであり、貨幣の処理を行う前に運用モードの設定を操作者が手動で行う必要がなくなるため、操作者にとっての手間を省くとともに誤操作が行われてしまうことを防止することができる貨幣処理機、貨幣処理システムおよび貨幣処理方法を提供することを目的とする。
【課題を解決するための手段】
【０００７】
本発明の貨幣処理機は、貨幣の処理を行う処理部と、外部装置から送られた情報を受信する情報受信手段と、特定処理を行うという指令を受け付ける指令受付手段と、通常時は前記情報受信手段により受信した情報を参照して処理を行い、前記指令受付手段により特定処理を行うという指令が受け付けられたときに前記情報受信手段により受信した情報を参照しないで処理を行うよう前記処理部の制御を行う制御部と、を備えたことを特徴とする。
【０００８】
このような貨幣処理機によれば、指令受付手段により特定処理を行うという指令が受け付けられていないときに情報受信手段により受信した情報を参照して貨幣の処理を行う一方、指令受付手段により特定処理を行うという指令が受け付けられたときに情報受信手段により受信した情報を参照しないで貨幣の処理を行うことにより、貨幣の処理を行う前に運用モードの設定を操作者が手動で行う必要がなくなるため、操作者にとっての手間を省くとともに誤操作が行われてしまうことを防止することができる。
【０００９】
上記の貨幣処理機においては、前記制御部は、特定処理を行うという指令が前記指令受付手段により受け付けられていないときには、入金された貨幣の金額から、前記情報受信手段により受信した情報における売上金としての金額を差し引いた金額の貨幣を貨幣払出口に払い出すよう前記処理部の制御を行うようになっていてもよい。
【００１０】
上記の貨幣処理機は、貨幣収納カセットが着脱自在に装着されるカセット装着部と、前記カセット装着部に前記貨幣収納カセットが装着されているときにこのことを検知するカセット装着検知部と、を更に備え、前記指令受付手段は、前記カセット装着部に前記貨幣収納カセットが装着されていることがカセット装着検知部により検知されているときに特定処理を行うという指令を受け付けるようになっていてもよい。
【００１１】
この場合、前記制御部は、特定処理を行うという指令が前記指令受付手段により受け付けられているときには、貨幣の入金処理を行う際に、前記カセット装着部に装着されている前記貨幣収納カセットから繰り出された貨幣を筐体内に収納するよう前記処理部を制御するようになっていてもよい。
【００１２】
また、前記制御部は、特定処理を行うという指令が前記指令受付手段により受け付けられているときには、貨幣の出金処理を行う際に、出金されるべき貨幣を前記カセット装着部に装着されている前記貨幣収納カセットに収納するよう前記処理部を制御するようになっていてもよい。
【００１３】
また、前記カセット装着部に着脱自在に装着される前記貨幣収納カセットには、当該貨幣収納カセットに収納されている貨幣に係る情報を記憶する記録媒体が設けられており、前記カセット装着部には、当該カセット装着部に装着される前記貨幣収納カセットの前記記録媒体から情報を読み取る読取部が設けられており、前記制御部は、特定処理を行うという指令が前記指令受付手段により受け付けられているときには、前記カセット装着部に装着される前記貨幣収納カセットの前記記録媒体から前記読取部により読み取られた情報に基づいて、前記処理部による処理内容を決めるようになっていてもよい。
【００１４】
この場合、前記記録媒体には、前記貨幣収納カセットに貨幣が収納されているか否かという情報が記憶されるようになっており、前記制御部は、特定処理を行うという指令が前記指令受付手段により受け付けられているときには、前記カセット装着部に装着される前記貨幣収納カセットの前記記録媒体から前記読取部により読み取られた、前記貨幣収納カセットに貨幣が収納されているか否かという情報に基づいて、貨幣の入金処理および出金処理のうちいずれかの処理を行うよう前記処理部を制御するようになっていてもよい。
【００１５】
上記の貨幣処理機は、持ち運び可能な情報記憶部材から情報を読み取る情報読取手段を更に備え、前記指令受付手段は、前記情報読取手段により前記情報記憶部材から読み取られた情報が特定の情報である場合に、特定処理を行うという指令を受け付けるようになっていてもよい。
【００１６】
本発明の貨幣処理機は、貨幣の処理を行う処理部と、外部装置から送られた情報を受信する情報受信手段と、前記情報受信手段により受信した情報を参照して処理を行う第１処理モードおよび前記情報受信手段により受信した情報を参照しないで処理を行う第２処理モードのうちいずれの処理モードで処理を行うかという指令を受け付ける指令受付手段と、前記指令受付手段により受け付けた指令の内容に基づいて処理を行うよう前記処理部の制御を行う制御部と、を備えたことを特徴とする。
【００１７】
このような貨幣処理機によれば、情報受信手段により受信した情報を参照して処理を行う第１処理モードおよび情報受信手段により受信した情報を参照しないで処理を行う第２処理モードのうちいずれの処理モードで処理を行うかという指令が指令受付手段により受け付けられ、指令受付手段により受け付けた指令の内容に基づいて貨幣の処理を行うことにより、貨幣の処理を行う前に運用モードの設定を操作者が手動で行う必要がなくなるため、操作者にとっての手間を省くとともに誤操作が行われてしまうことを防止することができる。
【００１８】
上記の貨幣処理機においては、前記制御部は、前記第１処理モードで処理を行うという指令が前記指令受付手段により受け付けられているときには、入金された貨幣の金額から、前記情報受信手段により受信した情報における売上金としての金額を差し引いた金額の貨幣を貨幣払出口に払い出すよう前記処理部の制御を行うようになっていてもよい。
【００１９】
上記の貨幣処理機は、貨幣収納カセットが着脱自在に装着されるカセット装着部と、前記カセット装着部に前記貨幣収納カセットが装着されているときにこのことを検知するカセット装着検知部と、を更に備え、前記指令受付手段は、前記カセット装着部に前記貨幣収納カセットが装着されていることがカセット装着検知部により検知されているときに前記第２処理モードで処理を行うという指令を受け付けるようになっていてもよい。
【００２０】
この場合、前記制御部は、前記第２処理モードで処理を行うという指令が前記指令受付手段により受け付けられているときには、貨幣の入金処理を行う際に、前記カセット装着部に装着されている前記貨幣収納カセットから繰り出された貨幣を筐体内に収納するよう前記処理部を制御するようになっていてもよい。
【００２１】
また、前記制御部は、前記第２処理モードで処理を行うという指令が前記指令受付手段により受け付けられているときには、貨幣の出金処理を行う際に、出金されるべき貨幣を前記カセット装着部に装着されている前記貨幣収納カセットに収納するよう前記処理部を制御するようになっていてもよい。
【００２２】
また、前記カセット装着部に着脱自在に装着される前記貨幣収納カセットには、当該貨幣収納カセットに収納されている貨幣に係る情報を記憶する記録媒体が設けられており、前記カセット装着部には、当該カセット装着部に装着される前記貨幣収納カセットの前記記録媒体から情報を読み取る読取部が設けられており、前記制御部は、前記第２処理モードで処理を行うという指令が前記指令受付手段により受け付けられているときには、前記カセット装着部に装着される前記貨幣収納カセットの前記記録媒体から前記読取部により読み取られた情報に基づいて、前記処理部による処理内容を決めるようになっていてもよい。
【００２３】
この場合、前記記録媒体には、前記貨幣収納カセットに貨幣が収納されているか否かという情報が記憶されるようになっており、前記制御部は、前記第２処理モードで処理を行うという指令が前記指令受付手段により受け付けられているときには、前記カセット装着部に装着される前記貨幣収納カセットの前記記録媒体から前記読取部により読み取られた、前記貨幣収納カセットに貨幣が収納されているか否かという情報に基づいて、貨幣の入金処理および出金処理のうちいずれかの処理を行うよう前記処理部を制御するようになっていてもよい。
【００２４】
上記の貨幣処理機は、持ち運び可能な情報記憶部材から情報を読み取る情報読取手段を更に備え、前記指令受付手段は、前記情報読取手段により前記情報記憶部材から読み取られた情報に基づいて、前記第１処理モードおよび前記第２処理モードのうちいずれの処理モードで処理を行うかという指令を受け付けるようになっていてもよい。
【００２５】
本発明の貨幣処理システムは、貨幣の処理を行う処理部を有する貨幣処理機と、前記貨幣処理機とは別に設けられた外部装置と、を備えた貨幣処理システムであって、前記貨幣処理機には、前記外部装置から送られた情報を受信する情報受信手段が設けられており、前記貨幣処理機または前記外部装置には、特定処理を行うという指令を受け付ける指令受付手段が設けられており、前記貨幣処理機または前記外部装置には、通常時は前記情報受信手段により受信した情報を参照して前記処理部により処理を行い、前記指令受付手段により特定処理を行うという指令が受け付けられたときに前記情報受信手段により受信した情報を参照しないで前記処理部により処理を行うよう前記処理部の制御を行う制御部が設けられていることを特徴とする。
【００２６】
本発明の貨幣処理システムは、貨幣の処理を行う処理部を有する貨幣処理機と、前記貨幣処理機とは別に設けられた外部装置と、を備えた貨幣処理システムであって、前記貨幣処理機には、前記外部装置から送られた情報を受信する情報受信手段が設けられており、前記貨幣処理機または前記外部装置には、前記情報受信手段により受信した情報を参照して処理を行う第１処理モードおよび前記情報受信手段により受信した情報を参照しないで処理を行う第２処理モードのうちいずれの処理モードで処理を行うかという指令を受け付ける指令受付手段が設けられており、前記貨幣処理機または前記外部装置には、前記指令受付手段により受け付けた指令の内容に基づいて前記処理部により処理を行うよう前記処理部の制御を行う制御部が設けられていることを特徴とする。
【００２７】
本発明の貨幣処理方法は、貨幣の処理を行う貨幣処理機による貨幣処理方法であって、外部装置から送られた情報を情報受信手段により受信する工程と、特定処理を行うという指令を指令受付手段により選択的に受け付ける工程と、通常時は前記情報受信手段により受信した情報を参照して処理を行い、前記指令受付手段により特定処理を行うという指令が受け付けられたときに前記情報受信手段により受信した情報を参照しないで貨幣の処理を行う工程と、を備えたことを特徴とする。
【００２８】
本発明の貨幣処理方法は、貨幣の処理を行う貨幣処理機による貨幣処理方法であって、外部装置から送られた情報を情報受信手段により受信する工程と、前記情報受信手段により受信した情報を参照して処理を行う第１処理モードおよび前記情報受信手段により受信した情報を参照しないで処理を行う第２処理モードのうちいずれの処理モードで処理を行うかという指令を指令受付手段により受け付ける工程と、前記指令受付手段により受け付けた指令の内容に基づいて貨幣の処理を行う工程と、を備えたことを特徴とする。
【発明の効果】
【００２９】
本発明の貨幣処理機、貨幣処理システムおよび貨幣処理方法によれば、貨幣の処理を行う前に運用モードの設定を操作者が手動で行う必要がなくなるため、操作者にとっての手間を省くとともに誤操作が行われてしまうことを防止することができる。
【図面の簡単な説明】
【００３０】
【図１】本発明の実施の形態における貨幣管理システムの構成を概略的に説明するための概略構成図である。
【図２】図１に示す貨幣管理システムにおける貨幣入出金機の外観を示す斜視図である。
【図３】図２に示す貨幣入出金機における紙幣処理ユニットの内部構成を側方から見たときの構成図である。
【図４】図２に示す貨幣入出金機における硬貨処理ユニットの内部構成を上方から見たときの構成図である。
【図５】図２に示す貨幣入出金機における包装硬貨収納ユニットの引出部の構成を示す斜視図である。
【図６】図２に示す貨幣入出金機における制御系の構成を示す機能ブロック図である。
【図７】図１に示す貨幣管理システムにおける貨幣釣銭機およびＰＯＳレジスタの外観を示す斜視図である。
【図８】図１に示す貨幣管理システムにおいて貨幣入出金機のカセット装着部および貨幣釣銭機のカセット装着部にそれぞれ着脱自在に装着可能となっている収納カセットの外観を示す斜視図である。
【図９】変形例に係る紙幣処理ユニットの内部構成を側方から見たときの構成図である。
【発明を実施するための形態】
【００３１】
以下、図面を参照して本発明の実施の形態について説明する。図１乃至図８は、本実施の形態による貨幣管理システムおよびこのような貨幣管理システムに設けられた貨幣入出金機を示す図である。このうち、図１は、本実施の形態における貨幣管理システムの構成を概略的に説明するための概略構成図であり、図２は、図１に示す貨幣管理システムにおける貨幣入出金機の外観を示す斜視図である。また、図３乃至図５は、ぞれぞれ、図２に示す貨幣入出金機における紙幣処理ユニット、硬貨処理ユニットおよび包装硬貨収納ユニットの構成を示す図である。また、図６は、図２に示す貨幣入出金機における制御系の構成を示す機能ブロック図である。また、図７は、図１に示す貨幣管理システムにおける貨幣釣銭機およびＰＯＳレジスタの外観を示す斜視図であり、図８は、図１に示す貨幣管理システムにおいて貨幣入出金機のカセット装着部および貨幣釣銭機のカセット装着部にそれぞれ着脱自在に装着可能となっている収納カセットの外観を示す斜視図である。
【００３２】
図１に示すように、コンビニエンスストアやスーパーマーケット等の商業施設の店舗４２０において、顧客が立ち入ることができるフロント領域には様々な商品が陳列された商品棚が設置されているとともに、このフロント領域の精算所には貨幣釣銭機２００やＰＯＳレジスタ２９０が設置されている。顧客がこのような精算所で精算処理を行う際に、店員は、顧客から受け取った商品の代金としての貨幣を貨幣釣銭機２００に入金したり、釣銭としての貨幣を貨幣釣銭機２００から出金して顧客に返却したりするようになっている。また、ＰＯＳレジスタ２９０により、顧客が購入した商品に係る情報や貨幣釣銭機２００に収納されている貨幣に係る情報等の管理が行われるようになっている。また、このような店舗４２０のフロント領域におけるサービスカウンターには、貨幣の入金処理や出金処理を行う貨幣入出金機１００が設置されている。このような貨幣入出金機１００は、貨幣釣銭機２００から回収された売上金としての貨幣の入金処理を行うことができるようになっている。また、貨幣釣銭機２００において釣銭としての貨幣が不足する場合には、貨幣入出金機１００から釣銭補充金としての貨幣を出金し、この貨幣入出金機１００から出金された釣銭補充金としての貨幣を貨幣釣銭機２００に補充することができるようになっている。また、本実施の形態では、店舗４２０のフロント領域におけるサービスカウンターに設置される貨幣入出金機１００は、顧客から受け取った商品の代金としての貨幣の入金処理や、顧客から受け取った商品の代金としての貨幣の出金処理も行うことができるようになっている。また、サービスカウンターにおいて、顧客が購入しようとする商品の精算処理を行うことができるよう、当該サービスカウンターには貨幣入出金機１００とともに上述したＰＯＳレジスタ２９０と同様の構成のＰＯＳレジスタ１９０が設置されるようになっており、これらの貨幣入出金機１００およびＰＯＳレジスタ１９０は無線ＬＡＮまたは有線ＬＡＮにより通信可能に接続されている。本実施の形態では、このような貨幣入出金機１００および貨幣釣銭機２００を組み合わせることにより貨幣管理システム１が構成されている。
【００３３】
また、図１に示すように、本実施の形態による貨幣管理システム１では、警送会社４１０の警備員等により、貨幣入出金機１００から、紙幣や硬貨が収納されている回収カセット１４０、１７０（後述）が取り出され、これらの回収カセット１４０、１７０ごと紙幣や硬貨が貨幣入出金機１００から警送会社に回収されるようになっている。また、警送会社４１０の警備員は、貨幣釣銭機２００で用いられる釣銭準備金としての貨幣を警送会社４１０から店舗４２０に運搬し、この店舗４２０のフロント領域に設けられた貨幣入出金機１００に釣銭準備金としての貨幣を入金するようになっている。
【００３４】
また、図１に示すように、本実施の形態による貨幣管理システム１では、貨幣入出金機１００はＬＡＮ４０４を介して店舗４２０の外部に設けられたターミナル４００やユーザーサーバー４０２に通信可能に接続されており、これらのターミナル４００やユーザーサーバー４０２により、貨幣入出金機１００における貨幣の在高や、警送会社４１０の警備員等や店舗４２０の店員等の操作者の情報が管理されるようになっている。
【００３５】
次に、このような貨幣管理システム１における貨幣入出金機１００の構成の詳細について図２乃至図６を用いて説明する。
【００３６】
図２等に示すように、本実施の形態による貨幣入出金機１００は、略直方体形状の筐体１０１を備えており、この筐体１０１の内部には、紙幣の入金処理および出金処理を行う紙幣処理ユニット１１０、硬貨の入金処理および出金処理を行う硬貨処理ユニット１５０、および包装硬貨（同一金種の硬貨を一定枚数（例えば、２０枚や５０枚）だけ棒状にまとめてフィルムや包装紙等により包装したもの）を収納する包装硬貨収納ユニット１８０がそれぞれ収容されている。図２に示すように、紙幣処理ユニット１１０および硬貨処理ユニット１５０は貨幣入出金機１００を手前側から見て左右に並ぶよう配置されており、これらの紙幣処理ユニット１１０および硬貨処理ユニット１５０の下方に包装硬貨収納ユニット１８０が配置されている。
【００３７】
図２および図３に示すように、紙幣処理ユニット１１０は、筐体１０１の前面側の右側領域に設けられた紙幣受入部１２０と、筐体１０１の前面側において紙幣受入部１２０の下方に設けられた紙幣払出部１２２と、筐体１０１の内部で紙幣を１枚ずつ搬送する搬送部１３０と、筐体１０１の内部で紙幣を収納するとともに収納されている紙幣を繰出可能な複数の紙幣収納部１３４、１３６とを備えている。なお、図３において、筐体１０１の右側の側面が紙幣処理ユニット１１０の手前側の面となっており、図３における左向きの方向が紙幣処理ユニット１１０の奥行き方向となっている。図３に示すように、搬送部１３０は、筐体１０１の上部における中央位置に配置された周回搬送部１３０ａおよび複数の接続搬送部１３０ｂから構成されている。また、紙幣受入部１２０、紙幣払出部１２２、出金リジェクト部１２４、後述する収納カセット３００を着脱自在に装着可能なカセット装着部１２６、回収カセット１４０および２つの紙幣収納部１３４、１３６が、それぞれ、周回搬送部１３０ａを取り囲むよう配置されている。また、図３に示すように、複数の接続搬送部１３０ｂの各々により、紙幣受入部１２０、紙幣払出部１２２、出金リジェクト部１２４、カセット装着部１２６、回収カセット１４０および２つの紙幣収納部１３４、１３６の各々と、周回搬送部１３０ａとの間をそれぞれ接続するようになっている。また、周回搬送部１３０ａには識別部１３２が設けられており、この識別部１３２は、周回搬送部１３０ａにより搬送される紙幣の金種、真偽、正損、表裏、新旧、搬送状態等の識別を行うようになっている。
【００３８】
周回搬送部１３０ａは、図３における時計回りの方向および反時計回りの方向の両方向に紙幣を１枚ずつ搬送することができるようになっている。また、搬送部１３０において、周回搬送部１３０ａと各接続搬送部１３０ｂとの間で紙幣の搬送経路を切り換える経路切換部（図示せず）が、周回搬送部１３０ａに沿って配置されている。
【００３９】
図２および図３に示すように、筐体１０１の前面には、紙幣受入部１２０の紙幣受入口１２０ａと、紙幣払出部１２２の紙幣取出口１２２ａとがそれぞれ設けられている。また、カセット装着部１２６の前面側には扉１２６ａが設けられており、この扉１２６ａを開くことにより収納カセット３００をカセット装着部１２６に装着させたりこのカセット装着部１２６から収納カセット３００を取り出したりすることができるようになっている。また、図３に示すように、カセット装着部１２６には、当該カセット装着部１２６に収納カセット３００が装着されたときにこのことを検知する光センサ等のカセット装着検知部１２７が設けられている。また、図６に示すように、カセット装着部１２６には、当該カセット装着部１２６に装着された収納カセット３００に設けられている記録媒体３０４（後述）に様々な情報を書き込む書込部１２８および当該記録媒体３０４から様々な情報を読み取る読取部１２９がそれぞれ設けられている。書込部１２８により記録媒体３０４に書き込まれる情報や読取部１２９により記録媒体３０４から読み取られる情報の詳細については後述する。
【００４０】
紙幣受入部１２０には紙幣繰出機構１２１が設けられており、紙幣受入口１２０ａに１枚あるいは複数枚の紙幣が投入されたことが検知されると紙幣繰出機構１２１が駆動されることにより紙幣が接続搬送部１３０ｂを介して周回搬送部１３０ａ側へ１枚ずつ繰り出されるようになっている。
【００４１】
紙幣払出部１２２は、各紙幣収納部１３４、１３６から周回搬送部１３０ａに繰り出された紙幣を紙幣取出口１２２ａにより筐体１０１の外部へ投出するようになっている。
【００４２】
出金リジェクト部１２４は、出金処理時において各紙幣収納部１３４、１３６から繰り出された紙幣のうち、重送や斜行等の搬送異常により識別部１３２で識別することができない紙幣を出金リジェクト紙幣として収納するようになっている。また、紙幣受入部１２０から筐体１０１の内部に取り込まれた紙幣のうち、入金処理時において汚損等により識別部１３２で識別することができない紙幣は入金リジェクト紙幣として紙幣払出部１２２に返却されるようになっている。
【００４３】
各紙幣収納部１３４、１３６は、識別部１３２の識別結果に基づいて紙幣を金種別に収納するようになっている。これらの紙幣収納部１３４、１３６には、貨幣釣銭機２００への釣銭補充金の紙幣として貨幣入出金機１００から出金されるべき紙幣が収納されるようになっている。具体的には、例えば紙幣収納部１３４には千円札が収納され、紙幣収納部１３６には五千円札が収納されるようになっている。なお、一万円札は後述する回収カセット１４０に収納されるようになっている。また、各紙幣収納部１３４、１３６にはそれぞれ紙幣繰出機構１３５、１３７が設けられており、これらの紙幣収納部１３４、１３６に収納されている紙幣は各紙幣繰出機構１３５、１３７により接続搬送部１３０ｂを介して周回搬送部１３０ａ側へ１枚ずつ繰り出されるようになっている。
【００４４】
筐体１０１の内部における下部領域には回収カセット１４０が収容されており、警送会社４１０により回収されるべき紙幣が回収カセット１４０に収納されるようになっている。具体的には、識別部１３２により識別された紙幣が周回搬送部１３０ａから接続搬送部１３０ｂを経て回収カセット１４０に送られるようになっている。また、回収カセット１４０の前面側には扉１４０ａが設けられており、この扉１４０ａを開くことにより回収カセット１４０を筐体１０１の内部に収容させたり筐体１０１の内部から回収カセット１４０を取り出したりすることができるようになっている。
【００４５】
なお、本実施の形態では、上述した紙幣繰出機構１２１、紙幣払出部１２２、搬送部１３０、各紙幣繰出機構１３５、１３７等により、紙幣の処理を行う紙幣処理部が構成されている。
【００４６】
次に、硬貨処理ユニット１５０の構成について説明する。図２および図４に示すように、硬貨処理ユニット１５０は、筐体１０１の前面側の左側領域に設けられた硬貨受入部１５２と、筐体１０１の前面側において硬貨受入部１５２の下方に設けられた硬貨払出部１６６と、筐体１０１の内部で硬貨を収納するとともに収納されている硬貨を繰出可能な複数の収納繰出部１６０とを備えている。
【００４７】
硬貨受入部１５２は、硬貨投入口を介して受け入れた硬貨を１層１列状態で１枚ずつ筐体１０１内に取り込むようになっている。より詳細には、硬貨受入部１５２には繰出ベルト等からなる硬貨繰出機構１５３（図６参照）が設けられており、硬貨受入部１５２に受け入れられた硬貨を検知するとこの硬貨繰出機構１５３が駆動されることにより当該硬貨繰出機構１５３によって硬貨が筐体１０１の内部に１枚ずつ繰り出されるようになっている。また、図４に示すように、硬貨受入部１５２には、当該硬貨受入部１５２により筐体１０１の内部に繰り出された硬貨を搬送する入金搬送部１５４が接続されている。
【００４８】
図４に示すように、入金搬送部１５４の途中には、硬貨の金種、真偽、正損、表裏、搬送状態等の識別を行う識別部１５６と、第１分岐部１５８とがそれぞれ設けられている。第１分岐部１５８は、識別部１５６による硬貨の識別結果に基づいて、リジェクト硬貨等の、硬貨払出部１６６から払い出されるべき硬貨を入金搬送部１５４から分岐させて出金搬送部１６２へ案内するようになっている。
【００４９】
一方、正常硬貨等の筐体１０１内に収納されるべき硬貨は入金搬送部１５４により各収納繰出部１６０へ搬送されるようになっている。収納繰出部１６０は硬貨を金種別に収納するとともに収納されている硬貨を繰出可能となるよう構成されている。具体的には、例えば日本国で流通している硬貨の６つの金種（５００円硬貨、１００円硬貨、５０円硬貨、１０円硬貨、５円硬貨および１円硬貨）に対応して６つの収納繰出部１６０が設けられており、入金搬送部１５４の上流側（すなわち、図４における下側）から低額順に各収納繰出部１６０に硬貨が金種毎に収納されるようになっている。また、収納繰出部１６０には、当該収納繰出部１６０に収納された硬貨を１枚ずつ出金搬送部１６２に繰り出す硬貨繰出機構（図示せず）が設けられている。
【００５０】
出金搬送部１６２は、収納繰出部１６０から繰り出された硬貨を硬貨払出部１６６へ搬送するようになっている。また、出金搬送部１６２は、第１分岐部１５８により入金搬送部１５４から分岐させられたリジェクト硬貨等を硬貨払出部１６６へ搬送するようになっている。
【００５１】
筐体１０１の内部における下部領域には回収カセット１７０が収容されており、警送会社４１０により回収されるべき硬貨が回収カセット１７０に収納されるようになっている。具体的には、図４に示すように、出金搬送部１６２の途中箇所には第２分岐部１６４が設けられており、当該第２分岐部１６４により出金搬送部１６２から分岐させられた硬貨は回収カセット１７０に送られてこの回収カセット１７０に収納されるようになっている。また、回収カセット１７０の前面側には扉１７０ａが設けられており、この扉１７０ａを開くことにより回収カセット１７０を筐体１０１の内部に収容させたり筐体１０１の内部から回収カセット１７０を取り出したりすることができるようになっている。
【００５２】
なお、本実施の形態では、上述した硬貨繰出機構１５３、入金搬送部１５４、第１分岐部１５８、各収納繰出部１６０、出金搬送部１６２、第２分岐部１６４等により、硬貨の処理を行う硬貨処理部が構成されている。
【００５３】
次に、包装硬貨収納ユニット１８０の構成について説明する。図５に示すように、包装硬貨収納ユニット１８０は、包装硬貨が金種毎に収納される複数の収納領域１８０ａ〜１８０ｆが設けられた引出部１８２を有しており、当該引出部１８２は貨幣入出金機１００の筐体１０１の内部から手前側に引き出し可能となっている。なお、図５に示すように、各収納領域１８０ａ〜１８０ｆに包装硬貨が収納されたときに当該包装硬貨の長手方向が鉛直方向を向くようになっている。そして、引出部１８２を貨幣入出金機１００の筐体１０１の内部から手前側に引き出すことにより、各収納領域１８０ａ〜１８０ｆに包装硬貨を収納したりこれらの収納領域１８０ａ〜１８０ｆに収納されている包装硬貨を取り出したりすることができるようになっている。また、図６に示すように、包装硬貨収納ユニット１８０は、引出部１８２を筐体１０１の内部にロックするロック機構１８４が設けられており、引出部１８２が筐体１０１の内部にロックされている状態では当該引出部１８２を筐体１０１の内部から手前側に引き出すことができないようになっている。また、包装硬貨収納ユニット１８０には、引出部１８２の各収納領域１８０ａ〜１８０ｆに収納されている包装硬貨の重量を測定する重量計１８６が設けられている。このような重量計１８６により測定される包装硬貨の重量に基づいて、後述する制御部１０２において引出部１８２の各収納領域１８０ａ〜１８０ｆに収納されている包装硬貨の数が検知されるようになっている。
【００５４】
なお、各収納領域１８０ａ〜１８０ｆに収納されている包装硬貨の数を検知するにあたり、重量計１８６により包装硬貨の重量を測定する代わりに、あるいは重量計１８６により包装硬貨の重量を測定することに加えて、ラインセンサまたは磁気センサを用いて各収納領域１８０ａ〜１８０ｆに収納されている包装硬貨の数を検知してもよく、あるいはこれらのラインセンサや磁気センサを組み合わせることにより各収納領域１８０ａ〜１８０ｆに収納されている包装硬貨の数を検知してもよい。また、収納領域１８０ａ〜１８０ｆ毎にラインセンサや磁気センサが設けられていてもよい。
【００５５】
次に、このような貨幣入出金機１００における制御系の構成について図６を用いて説明する。図６に示すように、本実施の形態による貨幣入出金機１００の筐体１０１の内部には制御部１０２が設けられており、当該制御部１０２により紙幣処理ユニット１１０、硬貨処理ユニット１５０および包装硬貨収納ユニット１８０の各々の構成部材が制御されるようになっている。具体的には、制御部１０２には、紙幣処理ユニット１１０の紙幣繰出機構１２１、搬送部１３０、識別部１３２、紙幣繰出機構１３５、１３７、カセット装着部１２６、カセット装着検知部１２７、書込部１２８、読取部１２９等が接続されており、識別部１３２による紙幣の識別情報や、カセット装着検知部１２７による収納カセット３００の検知情報、収納カセット３００に設けられた記録媒体３０４から読取部１２９により読み取られた情報等が制御部１０２に送られるとともに、制御部１０２は紙幣処理ユニット１１０の各構成部材に指令信号を送ることによりこれらの構成部材（すなわち、紙幣処理部）の制御を行うようになっている。また、制御部１０２には、硬貨処理ユニット１５０の硬貨繰出機構１５３、入金搬送部１５４、識別部１５６、第１分岐部１５８、各収納繰出部１６０、出金搬送部１６２および第２分岐部１６４等が接続されており、識別部１５６による硬貨の識別情報が制御部１０２に送られるとともに、制御部１０２は硬貨処理ユニット１５０の各構成部材に指令信号を送ることによりこれらの構成部材（すなわち、硬貨処理部）の制御を行うようになっている。また、制御部１０２には、包装硬貨収納ユニット１８０のロック機構１８４および重量計１８６等が接続されており、重量計１８６による包装硬貨の測定結果が制御部１０２に送られるとともに、制御部１０２はロック機構１８４に指令信号を送ることにより当該ロック機構１８４の制御を行うようになっている。
【００５６】
また、図６に示すように、制御部１０２には、操作表示部１０４、通信部１０５、記憶部１０６、指令受付手段１０７、情報読取手段１０８がそれぞれ接続されている。操作表示部１０４は筐体１０１の上部に設けられたタッチパネル等からなり、操作者が操作するための操作画面や、紙幣処理ユニット１１０、硬貨処理ユニット１５０および包装硬貨収納ユニット１８０の各々に収納されている貨幣の在高に係る情報が操作表示部１０４に表示されるようになっている。また、このような操作表示部１０４において操作者は操作画面における操作ボタンに指を触れることによって制御部１０２に様々な指令を入力することができるようになっている。通信部１０５はターミナル４００やユーザーサーバー４０２に対してＬＡＮ４０４を介して様々な信号の送受信を行うことができるようになっている。また、本実施の形態では、貨幣入出金機１００は有線ＬＡＮまたは無線ＬＡＮによりサービスカウンターに設置されているＰＯＳレジスタ１９０に通信可能に接続され、通信部１０５は当該ＰＯＳレジスタ１９０に対して様々な信号の送受信を行うことができるようになっている。ここで、本実施の形態では、通信部１０５は、外部装置から送られた情報を受信する情報受信手段として機能するようになる。
【００５７】
また、記憶部１０６には、紙幣処理ユニット１１０、硬貨処理ユニット１５０および包装硬貨収納ユニット１８０の各々に収納されている貨幣の在高に係る情報や、貨幣入出金機１００における貨幣の処理履歴等の様々な情報が記憶されるようになっている。また、指令受付手段１０７は、通信部１０５によりＰＯＳレジスタ１９０等の外部装置から受信した情報を参照して処理を行う第１処理モードおよび通信部１０５によりＰＯＳレジスタ１９０等の外部装置から受信した情報を参照しないで処理を行う第２処理モードのうちいずれの処理モードで処理を行うかという指令を受け付けるようになっている。より詳細には、指令受付手段１０７は、カセット装着部１２６に収納カセット３００が装着されていることがカセット装着検知部１２７により検知されているときに第２処理モードで処理を行うという指令を受け付けるようになっている。一方、指令受付手段１０７は、カセット装着部１２６に収納カセット３００が装着されていることがカセット装着検知部１２７により検知されていないときには、第１処理モードで処理を行うという指令を受け付けるようになっている。このような第１処理モードおよび第２処理モードの詳細については後述する。
【００５８】
また、情報読取手段１０８は、例えば筐体１０１の前面や上面に設けられたカードリーダを含み、操作者が所持するＩＤカード（情報記憶部材）に記憶されている情報が当該カードリーダにより読み取られるようになっている。なお、情報読取手段１０８は、操作者が所持するＩＤカードに記憶されている情報を読み取るカードリーダに限定されることはない。情報読取手段１０８の他の例として、操作者が所持する無線ＩＣタグ等のＩＣタグ（情報記憶部材）から情報を読み取ったり当該ＩＣタグに情報を書き込んだりするリーダライタが用いられてもよい。
【００５９】
次に、店舗４２０のフロント領域に設けられた貨幣釣銭機２００の構成の詳細について図７を用いて簡単に説明する。図７に示すように、本実施の形態による貨幣釣銭機２００は、上下に並ぶよう配置された硬貨処理ユニット２５０および包装硬貨収納ユニット２８０と、これらの硬貨処理ユニット２５０や包装硬貨収納ユニット２８０の隣に並ぶよう配置された紙幣処理ユニット２１０とを備えており、紙幣処理ユニット２１０や硬貨処理ユニット２５０の上方にはＰＯＳレジスタ２９０が載置されるようになっている。紙幣処理ユニット２１０および硬貨処理ユニット２５０は、それぞれ、硬貨や紙幣の入出金処理を行うようになっている。また、包装硬貨収納ユニット２８０は、各金種の包装硬貨を取り出し可能に収納するようになっている。また、ＰＯＳレジスタ２９０は、貨幣釣銭機２００の管理を行う管理装置として用いられるようになっている。
【００６０】
次に、貨幣入出金機１００と貨幣釣銭機２００との間で紙幣の受け渡しを行うための収納カセット３００の構成について図８を用いて説明する。図８に示すように、収納カセット３００は略直方体形状のケーシング３０１を有しており、当該ケーシング３０１の内部に紙幣が積層状態で収納されるようになっている。また、上述したように、収納カセット３００は貨幣入出金機１００のカセット装着部１２６および貨幣釣銭機２００のカセット装着部（図示せず）にそれぞれ着脱自在に装着されるようになっている。また、収納カセット３００のケーシング３０１の側面には開口３０２が形成されており、収納カセット３００が貨幣入出金機１００のカセット装着部１２６や貨幣釣銭機２００のカセット装着部に装着されているときに、貨幣入出金機１００の紙幣処理ユニット１１０に設けられた搬送部１３０や貨幣釣銭機２００の紙幣処理ユニット２１０に設けられた搬送部（図示せず）から当該開口３０２を介して紙幣が収納カセット３００の内部に送られたり、収納カセット３００に収納されている紙幣が開口３０２を介して貨幣入出金機１００の紙幣処理ユニット１１０の搬送部１３０や貨幣釣銭機２００の紙幣処理ユニット２１０の搬送部に繰り出されたりするようになっている。
【００６１】
より詳細には、収納カセット３００の内部には、当該収納カセット３００に収納されている紙幣を開口３０２からケーシング３０１の外部に繰り出す紙幣繰出機構が設けられている。また、収納カセット３００が貨幣入出金機１００のカセット装着部１２６や貨幣釣銭機２００のカセット装着部（図示せず）に装着されているときに、貨幣入出金機１００の紙幣処理ユニット１１０側や貨幣釣銭機２００の紙幣処理ユニット２１０側から収納カセット３００の紙幣繰出機構に動力が伝達されるようになっている。このように、収納カセット３００が貨幣入出金機１００のカセット装着部１２６や貨幣釣銭機２００のカセット装着部から取り出された状態では当該収納カセット３００に収納されている紙幣をケーシング３０１の外部に繰り出させることができないため、収納カセット３００に収納されている紙幣のセキュリティ性を向上させることができる。
【００６２】
また、収納カセット３００のケーシング３０１の側面にはＩＣチップ等の記録媒体３０４が設けられている。そして、収納カセット３００が貨幣入出金機１００のカセット装着部１２６や貨幣釣銭機２００のカセット装着部（図示せず）に装着されているときに、貨幣入出金機１００のカセット装着部１２６に設けられた書込部１２８や貨幣釣銭機２００のカセット装着部に設けられた書込部（図示せず）により記録媒体３０４に様々な情報を書き込んだり、貨幣入出金機１００のカセット装着部１２６に設けられた読取部１２９や貨幣釣銭機２００のカセット装着部に設けられた読取部（図示せず）により記録媒体３０４から様々な情報を読み取ったりすることができるようになっている。
【００６３】
次に、このような構成からなる貨幣管理システム１の動作について説明する。具体的には、貨幣管理システム１の貨幣入出金機１００において貨幣の入金処理や出金処理が行われる際の動作について説明する。
【００６４】
まず、貨幣入出金機１００の紙幣処理ユニット１１０におけるカセット装着部１２６に収納カセット３００が装着されていない場合について説明する。ここで、本実施の形態では、カセット装着部１２６に収納カセット３００が装着されていない場合には、貨幣入出金機１００は、商品と引き換えに顧客から店員に手渡された貨幣の入金処理を行うとともに、釣銭としての貨幣の出金処理を行うことができるような貨幣釣銭機として機能するようになる。より詳細には、紙幣処理ユニット１１０におけるカセット装着部１２６に収納カセット３００が装着されていない場合には、カセット装着部１２６に収納カセット３００が装着されていることがカセット装着検知部１２７により検知されない。この場合には、指令受付手段１０７は、カセット装着部１２６に収納カセット３００が装着されていることがカセット装着検知部１２７により検知されていないという情報に基づいて、第１処理モードで処理を行うという指令を受け付けるようになる。ここで、上述したように、第１処理モードは、通信部１０５によりＰＯＳレジスタ１９０等の外部装置から受信した情報を参照して処理を行う処理モードのことをいう。
【００６５】
貨幣入出金機１００の制御部１０２は、第１処理モードで処理を行うという指令が指令受付手段１０７により受け付けられているときには、入金された貨幣の金額から、通信部１０５によりＰＯＳレジスタ１９０等の外部装置から受信した情報における売上金としての金額を差し引いた金額の貨幣を紙幣処理ユニット１１０の紙幣払出部１２２や硬貨処理ユニット１５０の硬貨払出部１６６に払い出すよう紙幣処理ユニット１１０や硬貨処理ユニット１５０の各構成部材（すなわち、紙幣処理部や硬貨処理部）の制御を行うようになっている。より詳細には、本実施の形態による貨幣入出金機１００が貨幣釣銭機として用いられる場合には、サービスカウンターにおいて、顧客から店員に商品が手渡されると、店員によってＰＯＳレジスタ１９０に設けられたハンディスキャナ等により商品に付けられているバーコード等の情報が読み取られることにより商品の売上金に係る情報がＰＯＳレジスタ１９０により取得されるようになる。ここで、ＰＯＳレジスタ１９０により取得された商品の売上金に係る情報は当該ＰＯＳレジスタ１９０から貨幣入出金機１００に送信され、この情報は貨幣入出金機１００の通信部１０５により受信されるようになる。また、顧客から店員に商品の代金としての貨幣が手渡されると、店員は顧客から受け取った貨幣を紙幣処理ユニット１１０の紙幣受入口１２０ａや硬貨処理ユニット１５０の硬貨受入部１５２に投入する。このことにより、紙幣処理ユニット１１０や硬貨処理ユニット１５０において紙幣や硬貨の入金処理が行われる。また、紙幣処理ユニット１１０や硬貨処理ユニット１５０に入金された紙幣や硬貨の合計金額が、通信部１０５により受信された商品の売上金に係る金額よりも大きい場合には、入金された紙幣や硬貨の合計金額から、売上金としての金額を差し引いた金額の紙幣や硬貨が釣銭として紙幣処理ユニット１１０や硬貨処理ユニット１５０から出金される。
【００６６】
なお、本実施の形態では、本実施の形態による貨幣入出金機１００が貨幣釣銭機として機能する場合に、当該貨幣入出金機１００がセルフ機またはセミセルフ機として用いられるようになっていてもよい。ここで、貨幣入出金機１００がセルフ機として用いられる場合には、ＰＯＳレジスタ１９０に設けられたハンディスキャナ等により商品に付けられているバーコード等の情報を読み取る動作、および商品の代金としての貨幣を紙幣処理ユニット１１０の紙幣受入口１２０ａや硬貨処理ユニット１５０の硬貨受入部１５２に投入する動作がそれぞれ店員ではなく顧客により行われるようになる。また、貨幣入出金機１００がセミセルフ機として用いられる場合には、ＰＯＳレジスタ１９０に設けられたハンディスキャナ等により商品に付けられているバーコード等の情報を読み取る動作は店員により行われるが、商品の代金としての貨幣を紙幣処理ユニット１１０の紙幣受入口１２０ａや硬貨処理ユニット１５０の硬貨受入部１５２に投入する動作が顧客により行われるようになる。
【００６７】
次に、貨幣入出金機１００の紙幣処理ユニット１１０におけるカセット装着部１２６に収納カセット３００が装着されている場合について説明する。ここで、本実施の形態では、カセット装着部１２６に収納カセット３００が装着されている場合には、貨幣入出金機１００は、精算所に設置されている貨幣釣銭機２００から回収された売上金としての貨幣の入金処理を行うとともに、貨幣釣銭機２００に補充されるべき釣銭補充金としての貨幣の出金処理を行う出納機として機能するようになる。より詳細には、紙幣処理ユニット１１０におけるカセット装着部１２６に収納カセット３００が装着されている場合には、カセット装着部１２６に収納カセット３００が装着されていることがカセット装着検知部１２７により検知される。この場合には、指令受付手段１０７は、カセット装着部１２６に収納カセット３００が装着されていることがカセット装着検知部１２７により検知されているという情報に基づいて、第２処理モードで処理を行うという指令を受け付けるようになる。ここで、上述したように、第２処理モードは、通信部１０５によりＰＯＳレジスタ１９０等の外部装置から受信した情報を参照しないで処理を行う処理モードのことをいう。また、制御部１０２は、第２処理モードで処理を行うという指令が指令受付手段１０７により受け付けられているときには、カセット装着部１２６に装着されている収納カセット３００の記録媒体３０４から読取部１２９により読み取られた情報（より詳細には、収納カセット３００に紙幣が収納されているか否かという情報）に基づいて、紙幣処理ユニット１１０において入金処理および出金処理のうちいずれの処理を行うかを決めるようになっている。このような制御部１０２による制御内容の詳細については後述する。
【００６８】
本実施の形態では、貨幣釣銭機２００から回収された売上金としての貨幣の入金処理を貨幣入出金機１００が行ったり、貨幣釣銭機２００に補充されるべき釣銭補充金としての貨幣の出金処理を貨幣入出金機１００が行ったりする際に、貨幣入出金機１００と貨幣釣銭機２００との間で収納カセット３００により紙幣の受け渡しが行われるようになっている。すなわち、貨幣釣銭機２００から回収された売上金としての貨幣の入金処理を貨幣入出金機１００が行う場合には、貨幣釣銭機２００の紙幣処理ユニット２１０においてカセット装着部（図示せず）に装着されている収納カセット３００に紙幣が収納され、この収納カセット３００が貨幣釣銭機２００から取り出されて貨幣入出金機１００に運搬される。また、貨幣釣銭機２００の紙幣処理ユニット２１０においてカセット装着部に装着されている収納カセット３００に紙幣が収納されると、当該収納カセット３００に収納される紙幣に係る情報（具体的には、収納カセット３００に収納される紙幣の金種毎の枚数や合計金額等に係る情報）が、紙幣処理ユニット２１０のカセット装着部に設けられている書込部によって収納カセット３００の記録媒体３０４に書き込まれる。また、この際に、貨幣釣銭機２００が設置されるレジ番号も書込部により記録媒体３０４に書き込まれるようになる。
【００６９】
そして、貨幣釣銭機２００から貨幣入出金機１００に運搬された収納カセット３００が紙幣処理ユニット１１０のカセット装着部１２６に装着されると、当該カセット装着部１２６に収納カセット３００が装着されたことがカセット装着検知部１２７により検知される。このことにより、指令受付手段１０７は、カセット装着部１２６に収納カセット３００が装着されていることがカセット装着検知部１２７により検知されているという情報に基づいて、第２処理モードで処理を行うという指令を受け付ける。また、カセット装着部１２６に収納カセット３００が装着されたことがカセット装着検知部１２７により検知されると、収納カセット３００の記録媒体３０４に記録されている情報が読取部１２９によって読み取られる。そして、読取部１２９によって読み取られた情報に基づいて、収納カセット３００に紙幣が収納されていると判断された場合には、紙幣処理ユニット１１０において収納カセット３００に収納されている紙幣の入金処理が行われるようになる。具体的には、収納カセット３００から搬送部１３０に紙幣が繰り出され、この繰り出された紙幣は識別部１３２によりその金種等が識別された後に各紙幣収納部１３４、１３６や回収カセット１４０に収納されるようになる。このようにして、貨幣釣銭機２００から回収された、店舗４２０における売上金としての紙幣が貨幣入出金機１００に収納されるようになる。
【００７０】
なお、売上金としての貨幣として硬貨や包装硬貨を貨幣釣銭機２００から回収して貨幣入出金機１００に収納させる場合には、操作者は硬貨処理ユニット２５０から出金された硬貨や包装硬貨収納ユニット２８０から取り出した包装硬貨を例えば収納ケース等に手で収納して当該収納ケースごと貨幣釣銭機２００から貨幣入出金機１００に運搬し、この収納ケースから硬貨や包装硬貨を取り出して貨幣入出金機１００の硬貨処理ユニット１５０に入金したり包装硬貨収納ユニット１８０に収納したりするようになる。このようにして、貨幣釣銭機２００から回収された、店舗４２０における売上金としての硬貨や包装硬貨が貨幣入出金機１００に収納されるようになる。
【００７１】
また、貨幣釣銭機２００に補充されるべき釣銭補充金としての貨幣の出金処理を貨幣入出金機１００が行う場合には、貨幣入出金機１００の紙幣処理ユニット１１０におけるカセット装着部１２６に空状態の収納カセット３００を装着させる。この場合には、カセット装着部１２６に収納カセット３００が装着されたことがカセット装着検知部１２７により検知される。このことにより、指令受付手段１０７は、カセット装着部１２６に収納カセット３００が装着されていることがカセット装着検知部１２７により検知されているという情報に基づいて、第２処理モードで処理を行うという指令を受け付ける。また、カセット装着部１２６に収納カセット３００が装着されたことがカセット装着検知部１２７により検知されると、収納カセット３００の記録媒体３０４に記録されている情報が読取部１２９によって読み取られる。ここで、カセット装着部１２６には空状態の収納カセット３００が装着されるため、記録媒体３０４には、収納カセット３００に紙幣が収納されていない旨の情報が記録されており、このような情報が読取部１２９によって読み取られるようになる。そして、読取部１２９によって読み取られた情報に基づいて、収納カセット３００に紙幣が収納されていないと判断された場合には、紙幣処理ユニット１１０において紙幣の出金処理が行われるようになる。具体的には、各紙幣収納部１３４、１３６から搬送部１３０に紙幣が繰り出され、この繰り出された紙幣は識別部１３２によりその金種等が識別された後に収納カセット３００に収納されるようになる。その後、紙幣処理ユニット１１０のカセット装着部１２６から収納カセット３００が取り出され、この取り出された収納カセット３００は貨幣入出金機１００から貨幣釣銭機２００に運搬される。そして、貨幣入出金機１００から貨幣釣銭機２００に運搬された収納カセット３００が紙幣処理ユニット２１０のカセット装着部に装着されると、紙幣処理ユニット２１０において収納カセット３００に収納されている紙幣の入金処理が行われるようになる。このようにして、貨幣釣銭機２００に釣銭準備金として補充されるべき紙幣が貨幣入出金機１００から出金されて当該貨幣釣銭機２００に収納されるようになる。
【００７２】
なお、貨幣釣銭機２００に釣銭準備金として補充されるべき貨幣として硬貨や包装硬貨を貨幣入出金機１００から出金させて貨幣釣銭機２００に収納させる場合には、操作者は硬貨処理ユニット１５０から出金された硬貨や包装硬貨収納ユニット１８０から取り出した包装硬貨を例えば収納ケース等に手で収納して当該収納ケースごと貨幣入出金機１００から貨幣釣銭機２００に運搬し、この収納ケースから硬貨や包装硬貨を取り出して貨幣釣銭機２００の硬貨処理ユニット２５０に入金したり包装硬貨収納ユニット２８０に収納したりするようになる。このようにして、貨幣釣銭機２００に釣銭準備金として補充されるべき硬貨や包装硬貨が貨幣入出金機１００から出金されて当該貨幣釣銭機２００に収納されるようになる。
【００７３】
なお、本実施の形態では、貨幣入出金機１００において紙幣処理ユニット１１０のカセット装着部１２６に収納カセット３００が装着されたことがカセット装着検知部１２７により検知されたときに、紙幣処理ユニット１１０において自動で紙幣の入金処理や出金処理が行われるような態様に限定されることはない。貨幣入出金機１００において紙幣処理ユニット１１０のカセット装着部１２６に収納カセット３００が装着されたことがカセット装着検知部１２７により検知されたときに、紙幣の入金処理や出金処理を行うか否かを操作者に確認する画面が操作表示部１０４に表示されるようになっていてもよい。この場合には、操作表示部１０４により紙幣の入金処理や出金処理を行う旨の指令が操作者によって入力されると、収納カセット３００から搬送部１３０に紙幣が繰り出され、この繰り出された紙幣が識別部１３２により識別された後に各紙幣収納部１３４、１３６や回収カセット１４０に収納される動作や、各紙幣収納部１３４、１３６から搬送部１３０に紙幣が繰り出され、この繰り出された紙幣が識別部１３２により識別された後に収納カセット３００に収納される動作が行われるようになる。
【００７４】
また、本実施の形態では、指令受付手段１０７は、カセット装着部１２６に収納カセット３００が装着されていることがカセット装着検知部１２７により検知されているか否かに基づいて第１処理モードおよび第２処理モードのうちいずれの処理モードで処理を行うかという指令を受け付けるような態様に限定されることはない。他の例として、指令受付手段１０７は、カードリーダ等の情報読取手段１０８により操作者が所持するＩＤカード等の情報記憶部材から読み取られた情報に基づいて、第１処理モードおよび第２処理モードのうちいずれの処理モードで処理を行うかという指令を受け付けるようになっていてもよい。例えば、操作者が所持するＩＤカードには操作者の権限に係る情報（具体的には、操作者が店員および管理者のいずれであるかという情報）が記憶されるようになっており、情報読取手段１０８によりＩＤカードから読み取られた情報に基づいて操作者が店員であると判別された場合には、指令受付手段１０７は第１処理モードで処理を行うという指令を受け付けるようになる。一方、情報読取手段１０８によりＩＤカードから読み取られた情報に基づいて操作者が管理者であると判別された場合には、指令受付手段１０７は第２処理モードで処理を行うという指令を受け付けるようになる。また、更に他の例として、操作者が所持する無線ＩＣタグ等のＩＣタグにレジ番号が任意で記憶されるようになっており、リーダライタ等の情報読取手段１０８によりＩＣタグから読み取られた情報に基づいてレジ番号がＩＣタグに記憶されていると判別された場合には、指令受付手段１０７は第１処理モードで処理を行うという指令を受け付けるようになっていてもよい。この場合には、リーダライタ等の情報読取手段１０８によりＩＣタグから読み取られた情報に基づいてレジ番号がＩＣタグに記憶されていないと判別された場合には、指令受付手段１０７は第２処理モードで処理を行うという指令を受け付けるようになる。
【００７５】
また、更に他の例として、収納カセット３００がカセット装着部１２６に装着されたときに、当該収納カセット３００に設けられている記録媒体３０４から読取部１２９により読み取られた情報に基づいて、指令受付手段１０７は第１処理モードおよび第２処理モードのうちいずれの処理モードで処理を行うかという指令を受け付けるようになっていてもよい。具体的には、収納カセット３００に設けられている記録媒体３０４に、レジを識別するための情報であるレジ番号等が任意で記憶されるようになっており、収納カセット３００がカセット装着部１２６に装着されたときに、当該収納カセット３００に設けられている記録媒体３０４から読取部１２９により読み取られた情報に基づいてレジ番号等が記録媒体３０４に記憶されていると判別された場合には、指令受付手段１０７は第１処理モードで処理を行うという指令を受け付けるようになっていてもよい。この場合には、収納カセット３００に設けられている記録媒体３０４から読取部１２９により読み取られた情報に基づいてレジ番号等が記録媒体３０４に記憶されていないと判別された場合には、指令受付手段１０７は第２処理モードで処理を行うという指令を受け付けるようになる。あるいは、収納カセット３００がカセット装着部１２６に装着されたときに、当該収納カセット３００に設けられている記録媒体３０４から読取部１２９により読み取られた情報に基づいてレジ番号等が記録媒体３０４に記憶されていると判別された場合には、指令受付手段１０７は第２処理モードで処理を行うという指令を受け付け、一方、収納カセット３００に設けられている記録媒体３０４から読取部１２９により読み取られた情報に基づいてレジ番号等が記録媒体３０４に記憶されていないと判別された場合には、指令受付手段１０７は第１処理モードで処理を行うという指令を受け付けるようになっていてもよい。
【００７６】
また、本実施の形態による貨幣入出金機１００に対応するＰＯＳレジスタ１９０から当該ＰＯＳレジスタ１９０の識別番号に係る情報がレジ番号として貨幣入出金機１００に送られるようになっており、収納カセット３００がカセット装着部１２６に装着されたときに、当該収納カセット３００に設けられている記録媒体３０４から読取部１２９により読み取られたレジ番号が、ＰＯＳレジスタ１９０から貨幣入出金機１００に送られた情報に係るレジ番号と一致する場合には、指令受付手段１０７は第１処理モードで処理を行うという指令を受け付けるようになっていてもよい。この場合には、収納カセット３００に設けられている記録媒体３０４から読取部１２９により読み取られたレジ番号が、ＰＯＳレジスタ１９０から貨幣入出金機１００に送られた情報に係るレジ番号と一致しない場合や、収納カセット３００に設けられている記録媒体３０４から読取部１２９によりレジ番号に係る情報を読み取ることができなかった場合には、指令受付手段１０７は第２処理モードで処理を行うという指令を受け付けるようになる。
【００７７】
また、収納カセット３００に設けられている記録媒体３０４にレジ番号ではなく紙幣の処理内容（具体的には、紙幣の補充処理、回収処理等）が記憶されている場合に、収納カセット３００がカセット装着部１２６に装着され、収納カセット３００に設けられている記録媒体３０４から読取部１２９により当該情報が読み取られると、指令受付手段１０７は第２処理モードで処理を行うという指令を受け付けるようになっていてもよい。
【００７８】
また、本実施の形態では、収納カセット３００として、紙幣処理ユニット１１０のカセット装着部１２６に装着されたときに当該紙幣処理ユニット１１０において紙幣の入金処理のみを行うことができるようなものが用いられるようになっていてもよい。この場合には、収納カセット３００が紙幣処理ユニット１１０のカセット装着部１２６に装着されたときに、当該収納カセット３００に紙幣が収納されている場合には、収納カセット３００から搬送部１３０に紙幣が繰り出され、この繰り出された紙幣が識別部１３２により識別された後に各紙幣収納部１３４、１３６や回収カセット１４０に収納される動作が行われるようになるが、収納カセット３００に紙幣が収納されていない場合に、紙幣処理ユニット１１０において紙幣の出金処理が行われることはない。また、紙幣処理ユニット１１０のカセット装着部１２６に装着される収納カセット３００として、紙幣を例えば金種毎に収納するような複数の種類のものが用いられるようになっていてもよい。
【００７９】
以上のような構成からなる本実施の形態の貨幣入出金機１００およびこのような貨幣入出金機１００による貨幣処理方法によれば、指令受付手段１０７は、通信部１０５等の情報受信手段により受信した情報を参照して処理を行う第１処理モードおよび情報受信手段により受信した情報を参照しないで処理を行う第２処理モードのうちいずれの処理モードで処理を行うかという指令を受け付けるようになっており、制御部１０２は、指令受付手段１０７により受け付けた指令の内容に基づいて処理を行うよう紙幣処理ユニット１１０の紙幣処理部の制御を行うようになっている。このことにより、貨幣の処理を行う前に運用モードの設定を操作者が手動で行う必要がなくなるため、操作者にとっての手間を省くとともに誤操作が行われてしまうことを防止することができるようになる。
【００８０】
より詳細には、従来では、貨幣の入金処理および出金処理を行う貨幣入出金機をフロント領域における例えばサービスカウンターに設置し、この貨幣入出金機を、従来のフロント領域に設置される貨幣釣銭機として使用するとともに、従来のバックヤード領域に設置される出納機として使用する場合において、当該貨幣入出金機を貨幣釣銭機として使用するときには、操作者はタッチパネル等の操作表示部により手動でレジ運用設定に切り換えた後に当該貨幣入出金機で貨幣の処理を行う必要があった。一方、上記の貨幣入出金機を、精算所に設置されている貨幣釣銭機から回収された売上金としての貨幣の入金処理や、貨幣釣銭機に補充されるべき釣銭補充金としての貨幣の出金処理を行う出納機として使用するときには、操作者はタッチパネル等の操作表示部により手動で出納機運用設定に切り換えた後に当該貨幣入出金機で貨幣の処理を行う必要があった。このように、サービスカウンターに設置される貨幣入出金機で、従来のフロント領域に設置される貨幣釣銭機の機能および従来のバックヤード領域に設置される出納機の機能を兼用する場合には、貨幣の処理を行う前に運用モードの設定を操作者が手動で行う必要があるため、操作者にとって手間がかかったり誤操作が行われるおそれがあったりするという問題があった。これに対し、本実施の形態では、制御部１０２は、指令受付手段１０７により受け付けた指令の内容に基づいて処理を行うよう紙幣処理ユニット１１０の紙幣処理部の制御を行うため、上述した従来の貨幣入出金機の問題を解消することができるようになる。
【００８１】
また、本実施の形態では、指令受付手段１０７は、カセット装着部１２６に収納カセット３００が装着されていることがカセット装着検知部１２７により検知されているときに第２処理モードで処理を行うという指令を受け付けるようになっている。この場合には、カセット装着部１２６に収納カセット３００を装着するだけで、紙幣処理ユニット１１０における処理モードを切り替えることができるようになる。
【００８２】
なお、本実施の形態では、指令受付手段１０７は、第１処理モードおよび第２処理モードのうちいずれの処理モードで処理を行うかという指令を受け付ける代わりに、特定処理を行うという指令を受け付けるようになっていてもよい。ここで、「特定処理を行う」とは、上述した第２処理モードで処理を行うことをいう。そして、制御部１０２は、通常時は通信部１０５によりＰＯＳレジスタ１９０等の外部装置から受信した情報を参照して処理を行い（すなわち、通常時は第１処理モードで処理を行い）、指令受付手段１０７により特定処理を行うという指令が受け付けられたときに、通信部１０５によりＰＯＳレジスタ１９０等の外部装置から受信した情報を参照しないで処理を行う（すなわち、第２処理モードで処理を行う）よう、紙幣処理ユニット１１０の各構成部材を制御するようになる。この場合でも、貨幣の処理を行う前に運用モードの設定を操作者が手動で行う必要がなくなるため、操作者にとっての手間を省くとともに誤操作が行われてしまうことを防止することができるようになる。なお、この場合、指令受付手段１０７は、カセット装着部１２６に収納カセット３００が装着されていることがカセット装着検知部１２７により検知されているときに特定処理を行うという指令を受け付けるようになる。
【００８３】
また、制御部１０２は、特定処理を行うという指令が指令受付手段１０７により受け付けられていないときには、紙幣処理ユニット１１０において、入金された紙幣の金額から、通信部１０５によりＰＯＳレジスタ１９０等の外部装置から受信した情報における売上金としての金額を差し引いた金額の紙幣を紙幣払出部１２２に払い出すよう、紙幣処理ユニット１１０の各構成部材の制御を行う。一方、制御部１０２は、特定処理を行うという指令が指令受付手段１０７により受け付けられているときには、紙幣の入金処理を行う際に、カセット装着部１２６に装着されている収納カセット３００から繰り出された紙幣を各紙幣収納部１３４、１３６や回収カセット１４０に収納し、また、紙幣の出金処理を行う際に、出金されるべき紙幣をカセット装着部１２６に装着されている収納カセット３００に収納するよう、紙幣処理ユニット１１０の各構成部材の制御を行う。また、制御部１０２は、特定処理を行うという指令が指令受付手段１０７により受け付けられているときには、カセット装着部１２６に装着されている収納カセット３００の記録媒体３０４から読取部１２９により読み取られた情報に基づいて、各構成部材による処理内容を決めるようになっている。具体的には、制御部１０２は、カセット装着部１２６に装着されている収納カセット３００の記録媒体３０４から読取部１２９により読み取られた、収納カセット３００に紙幣が収納されているか否かという情報に基づいて、紙幣の入金処理および出金処理のうちいずれかの処理を行うよう各構成部材を制御するようになる。
【００８４】
なお、本実施の形態による貨幣入出金機１００やこのような貨幣入出金機１００による貨幣処理方法は、上述したような態様に限定されることはなく、様々な変更を加えることができる。
【００８５】
例えば、上述した貨幣入出金機１００およびＰＯＳレジスタ１９０を組み合わせることにより本発明に係る貨幣処理システムが構成されるようになっていてもよい。この場合には、ＰＯＳレジスタ１９０は、貨幣入出金機１００とは別に設けられた外部装置として機能するようになる。また、上記の説明では、指令受付手段１０７およびこの指令受付手段１０７により受け付けた指令の内容に基づいて紙幣処理ユニット１１０の紙幣処理部により処理を行うよう当該紙幣処理部の制御を行う制御部１０２がそれぞれ貨幣入出金機１００に設けられるような態様について述べたが、指令受付手段１０７と同等の機能を有する指令受付手段が外部装置としてのＰＯＳレジスタ１９０に設けられていてもよい。また、貨幣入出金機１００に設けられた指令受付手段１０７またはＰＯＳレジスタ１９０に設けられた指令受付手段により受け付けた指令に基づいて紙幣処理ユニット１１０の紙幣処理部により処理を行うよう当該紙幣処理部の制御を行う制御部がＰＯＳレジスタ１９０に設けられていてもよい。
【００８６】
また、貨幣入出金機１００の紙幣処理ユニットとして、図９に示すような構成のものが用いられてもよい。図９に示す紙幣処理ユニット１１０ａでは、収納カセット３００が着脱自在に装着されるカセット装着部１２６や、回収カセット１４０の扉１４０ａが筐体１０１の前面側ではなく背面側（すなわち、図３における左側）に設けられており、筐体１０１の背面側から収納カセット３００や回収カセット１４０を筐体１０１の外部に取り出したり当該筐体１０１の内部に収容したりすることができるようになっている。図９に示すような構成の紙幣処理ユニット１１０ａによれば、例えば顧客は筐体１０１の前面側に設けられた紙幣受入部１２０に紙幣を投入したり紙幣払出部１２２に払い出された紙幣を取り出したりすることができる一方、店員は筐体１０１の背面側から収納カセット３００や回収カセット１４０を筐体１０１の外部に取り出したり当該筐体１０１の内部に収容したりすることができるようになる。
【００８７】
また、別の変形例に係る貨幣管理システム１の貨幣入出金機１００において、収納カセット３００をカセット装着部１２６に装着したときに、当該収納カセット３００をリサイクル用の紙幣収納部として用いることができるようになっていてもよい。すなわち、カセット装着部１２６に装着された収納カセット３００は、筐体１０１の内部で紙幣を収納するとともに収納されている紙幣を繰出可能となるため、各紙幣収納部１３４、１３６と同様の機能を果たすようになる。また、カセット装着部１２６に装着された収納カセット３００をリサイクル用の紙幣収納部として用いる場合には、各紙幣収納部１３４、１３６と同様に、当該収納カセット３００に収納される紙幣の金種を割り当てることができるようになっていてもよい。
【００８８】
また、更に別の変形例に係る貨幣管理システム１において、硬貨の収納および収納されている硬貨の繰り出しを行う硬貨収納カセットが貨幣入出金機１００および貨幣釣銭機２００にそれぞれ着脱自在に装着されるようになっていてもよい。この場合には、貨幣入出金機１００と貨幣釣銭機２００との間でこのような硬貨収納カセットにより硬貨の受け渡しを行うことができるようになるため、貨幣釣銭機２００から回収された売上金としての硬貨や貨幣入出金機１００から出金された貨幣釣銭機２００に釣銭補充金として補充されるべき硬貨を操作者の手に触れさせないようにすることができるためセキュリティ性を高めることができる。また、このような硬貨の収納を行う硬貨収納カセットに上記の記録媒体３０４を設けるようにしてもよい。また、指令受付手段１０７は、硬貨処理ユニット１５０に設けられたカセット装着部（図示せず）に収納カセット３００が装着されていることがカセット装着検知部（図示せず）により検知されていないときに第１処理モードで処理を行うという指令を受け付ける一方、硬貨処理ユニット１５０に設けられたカセット装着部（図示せず）に収納カセット３００が装着されていることがカセット装着検知部（図示せず）により検知されているときに第２処理モードで処理を行うという指令を受け付けるようになっている。そして、制御部１０２は、指令受付手段１０７により受け付けた指令の内容に基づいて処理を行うよう硬貨処理ユニット１５０の硬貨処理部の制御を行うようになっている。この場合には、カセット装着部１２６に収納カセット３００を装着するだけで、硬貨処理ユニット１５０における処理モードを切り替えることができるようになる。
【００８９】
また、別の例として、貨幣入出金機１００において、カセット装着部１２６に装着された収納カセット３００から繰り出された紙幣を識別することなく枚数のみを計数するようになっていてもよい。この場合には、計数された紙幣の枚数と、収納カセット３００に設けられた記録媒体３０４から読取部１２９により読み取られた情報における紙幣の枚数とを比較し、両者の枚数が一致しない場合に操作表示部１０４等において両者の枚数が一致しない旨を表示するようになっていてもよい。
【符号の説明】
【００９０】
１        貨幣管理システム
１００    貨幣入出金機
１０１    筐体
１０２    制御部
１０４    操作表示部
１０５    通信部
１０６    記憶部
１０７    指令受付手段
１０８    情報読取手段
１１０、１１０ａ  紙幣処理ユニット
１２０    紙幣受入部
１２０ａ  紙幣受入口
１２１    紙幣繰出機構
１２２    紙幣払出部
１２２ａ  紙幣取出口
１２４    出金リジェクト部
１２６    カセット装着部
１２６ａ  扉
１２７    カセット装着検知部
１２８    書込部
１２９    読取部
１３０    搬送部
１３０ａ  周回搬送部
１３０ｂ  接続搬送部
１３２    識別部
１３４、１３６  紙幣収納部
１３５、１３７  紙幣繰出機構
１４０    回収カセット
１４０ａ  扉
１５０    硬貨処理ユニット
１５２    硬貨受入部
１５３    硬貨繰出機構
１５４    入金搬送部
１５６    識別部
１５８    第１分岐部
１６０    収納繰出部
１６２    出金搬送部
１６４    第２分岐部
１６６    硬貨払出部
１７０    回収カセット
１７０ａ  扉
１８０    包装硬貨収納ユニット
１８０ａ〜１８０ｆ  収納領域
１８２    引出部
１８４    ロック機構
１８６    重量計
１９０    ＰＯＳレジスタ
２００    貨幣釣銭機
２１０    紙幣処理ユニット
２５０    硬貨処理ユニット
２８０    包装硬貨収納ユニット
２９０    ＰＯＳレジスタ
３００    収納カセット
３０１    ケーシング
３０２    開口
３０４    記録媒体
４００    ターミナル
４０２    ユーザーサーバー
４０４    ＬＡＮ
４１０    警送会社
４２０    店舗
【図１】
2018036995.tif 000003
【図２】
2018036995.tif 000004
【図３】
2018036995.tif 000005
【図４】
2018036995.tif 000006
【図５】
2018036995.tif 000007
【図６】
2018036995.tif 000008
【図７】
2018036995.tif 000009
【図８】
2018036995.tif 000010
【図９】
2018036995.tif 000011